(57)【特許請求の範囲】
【請求項１】
所定空間における温度情報と、湿度情報、音情報、匂い情報及び二酸化炭素量情報の少なくとも１以上とを含む環境情報を取得する環境情報取得手段と、
前記環境情報に対応する香り情報、前記所定空間に配置される座席のレイアウトを含むレイアウト情報並びに前記座席の利用者の在席情報、職種情報、喫煙情報、嫌煙情報及び隣席者情報を含む利用者情報を記憶する記憶手段と、
前記記憶手段に記憶される前記環境情報に対応する香り情報、前記レイアウト情報及び前記利用者情報に基づいて前記香り制御信号を出力する制御手段と、
前記制御手段により出力された前記所定の香り制御信号に基づいて香りを発生させる香り発生手段と、
前記香り発生手段により発生される前記香りを前記所定空間に放出可能であると共に、前記所定空間の少なくとも温度を調整可能な空気調和手段と、
を備え、
前記空気調和システムは、デマンド制御モードを含む複数の所定のモードを有し、
前記記憶手段は、前記複数の所定のモードに応じた香り情報を有し、
前記空気調和システムが前記デマンド制御モードにある場合には、前記制御手段は、前記空気調和システムの使用電力を電力会社との電力契約における契約電力の範囲内とすると共に、前記記憶手段に記憶される前記デマンド制御モードに応じた香り情報及び前記温度情報に基づいて、不快に感じる所定の温度範囲内における香りの放出量を増加させる前記所定の香り制御信号を出力する空気調和システム。
【請求項２】
所定時刻を報知する報知手段と、を更に備え、
前記記憶手段は、前記所定時刻に応じた香り情報を有し、
前記報知手段により前記所定時刻が報知された場合には、前記制御手段は、前記記憶手段に記憶された前記所定時刻に応じた香り情報に基づいて前記所定の香り制御信号を出力する請求項１に記載の空気調和システム。
【請求項３】
前記空気調和手段は、１又は複数の送風口を備え、
前記記憶手段は、前記１又は複数の送風口の位置情報を有し、
前記制御手段は、前記位置情報に基づいて前記１又は複数の送風口それぞれから放出される香りに関する香り制御信号を出力し、
前記香り発生手段は、前記制御手段により出力された前記香り制御信号に基づいて前記１又は複数の送風口それぞれから放出される香りを発生させる請求項１又は２に記載の空気調和システム。
【請求項４】
前記香り発生手段は、複数の香りから前記所定の香り制御信号に応じた香りを調合可能である請求項１から３のいずれかに記載の空気調和システム。
【請求項５】
所定空間における温度情報と、湿度情報、音情報、匂い情報及び二酸化炭素量情報の少なくとも１以上とを含む環境情報を取得する環境情報取得手段と、
前記環境情報に対応する香り情報、前記所定空間に配置される座席のレイアウトを含むレイアウト情報並びに前記座席の利用者の在席情報、職種情報、喫煙情報、嫌煙情報及び隣席者情報を含む利用者情報を記憶する記憶手段と、
前記記憶手段に記憶される前記環境情報に対応する香り情報、前記レイアウト情報及び前記利用者情報に基づいて前記香り制御信号を出力する制御手段と、
前記制御手段により出力された前記所定の香り制御信号に基づいて香りを発生させる香り発生手段と、
前記香り発生手段により発生される前記香りを前記所定空間に放出可能であると共に、前記所定空間の少なくとも温度を調整可能な空気調和手段と、
を備え、
前記空気調和装置は、デマンド制御モードを含む複数の所定のモードを有し、
前記記憶手段は、前記複数の所定のモードに応じた香り情報を有し、
前記空気調和装置が前記デマンド制御モードにある場合には、前記制御手段は、前記空気調和装置の使用電力を電力会社との電力契約における契約電力の範囲内とすると共に、前記記憶手段に記憶される前記デマンド制御モードに応じた香り情報及び前記温度情報に基づいて、不快に感じる所定の温度範囲内における香りの放出量を増加させる前記所定の香り制御信号を出力する空気調和装置。
【請求項６】
所定時刻を報知する報知手段と、を更に備え、
前記記憶手段は、前記所定時刻に応じた香り情報を有し、
前記報知手段により前記所定時刻であることが報知された場合には、前記制御手段は、前記記憶手段に記憶された前記所定時刻に応じた香り情報に基づいて前記所定の香り制御信号を出力する請求項５に記載の空気調和装置。
【請求項７】
前記香り発生手段は、複数の香りから前記所定の香り制御信号に応じた香りを調合可能である請求項５又は６に記載の空気調和装置。
【発明の詳細な説明】
【技術分野】
【０００１】
本発明は、空気調和システム及び空気調和装置に関する。
【背景技術】
【０００２】
従来、空気調和システム又は装置は、室内機又はこの室内機の運転を制御するリモートコントローラにそれぞれ内蔵された温度センサによって室内温度を検出し、この室内温度が、上記リモートコントローラ等を用いて設定された設定温度と一致するように、室外機の圧縮機や室内機のファン等の運転を制御して、室内の空気調和を実施している。
【０００３】
また、室内の消臭や室内を積極的に芳香で満たすことを目的として室内に香りを放出する香り発生装置が知られている。
【０００４】
しかし、上述の空気調和システム又は装置では、室内の空気調和が必ずしも室内にいる人の温熱的な快適感や不快適感を反映したものとはなっていないという課題があった。また、上述の香り発生装置は、室内に居る人の感覚に応じて香りを放出しているわけではないという課題があった。
【０００５】
そこで、室内に居る人の感覚を自律神経系の生理量である発汗量や脈拍数により測定し、その測定結果に応じて香りを放出する空気調和システムが提案されている（例えば、特許文献１参照）。
【特許文献１】特開２００３−３８６３０号公報
【発明の開示】
【発明が解決しようとする課題】
【０００６】
特許文献１の空気調和システムは、室内に居る人の感覚を自律神経系生理量である発汗量や脈拍数により測定し、その測定結果に応じた香りを放出することで、単に室内に香りを満たすのではなく各人の感覚に応じた香りで室内を満たすことができる。しかし、特許文献１の空気調和システムでは、複数の人が存在する室内における温度や香りの調整をする場合には適用が困難であるという課題がある。また、使用する電力量を電力会社との電力契約における電力量に応じて制御するいわゆるデマンド制御モード等において、室内の環境が個人の感覚にとって不快となる場合における調整をどのようにするかという課題がある。そして、これらが本発明の課題といってよい。
【０００７】
本発明は、以上のような課題に鑑みてなされたものであり、複数の人が存在可能な所定空間に所定の香りを放出する空気調和システム及び空気調和装置を提供することを目的とする。
【課題を解決するための手段】
【０００８】
発明者は、上記目的を達成するため、所定空間における少なくとも温度情報を含む環境情報を測定し、この測定された環境情報に基づいて所定の香りを所定空間に放出することで、所定空間に存在する人の作業性を向上させることや不快感を抑制することができることを見出し、本発明を完成させた。特に、所定期間の使用電力量を所定量以下にすることを達成する等の所定の目的を達成すると共に、所定空間に存在する人の作業性を向上させることや不快感を抑制することができることを見出し、本発明を完成させた。更には、所定空間に存在する人の位置や各人に関する情報に応じて香りを放出することで、より細やかに所定空間に存在する人の作業性を向上させることや、不快感を抑制することができることを見出し、本発明を完成させた。
【０００９】
（１）  所定空間における少なくとも温度情報を含む環境情報を取得する環境情報取得手段と、前記環境情報取得手段により取得された前記環境情報に基づいて所定の香り制御信号を出力する制御手段と、前記制御手段により出力された前記所定の香り制御信号に基づいて香りを発生させる香り発生手段と、前記香り発生手段により発生される前記香りを前記所定空間に放出可能であると共に、前記所定空間の少なくとも温度を調整可能な空気調和手段と、を備える空気調和システム。
【００１０】
（１）の発明における空気調和システムは、所定空間における少なくとも温度情報を含む環境情報を取得する環境情報取得手段と、環境情報取得手段により取得された環境情報に基づいて所定の香り制御信号を出力する制御手段と、制御手段により出力された所定の香り制御信号に基づいて香りを発生させる香り発生手段と、香り発生手段により発生される香りを所定空間に放出可能であると共に、所定空間の少なくとも温度を調整可能な空気調和手段と、を備える。これにより、この空気調和システムは、人の感覚（快、不快）に大きな影響を与える温度情報を含む環境情報に応じた香りを所定空間に放出することで、該所定空間における環境性を向上させることができる。言い換えると、所定空間に存在する人の作業効率を向上させることや、不快感を抑制させることができる。また、所定の香りを放出すると共に、所定空間の少なくとも温度を調整することで、より好適に所定空間における環境を調整することができる。また、所定空間の温度に加えて湿度を調整することで、更に好適に所定空間における環境を調整することができる。
【００１１】
（２）  前記環境情報は、湿度情報、音情報、匂い情報及び二酸化炭素量情報の少なくとも１以上を更に含む（１）に記載の空気調和システム。
【００１２】
（２）の発明における空気調和システムは、環境情報が、湿度情報、音情報、匂い情報及び二酸化炭素量情報の少なくとも１以上を更に含む。それぞれの指標における測定結果に応じた香りを放出することができる。これにより、この空気調和システムは、温度では把握できない環境情状況に対応した対応をすることができる。また、空気調和システムは、複数の指標で所定空間の環境を測定し、該測定された環境情報に応じた香りを所定空間に放出することができる。これにより、空気調和システムは、より細やかな対応をすることができる。
【００１３】
（３）  所定の環境情報に対応する香り情報を記憶する記憶手段と、を更に備え、前記制御手段は、前記記憶手段に記憶される前記所定の環境情報に対応する香り情報に基づいて前記所定の香り制御信号を出力する（１）又は（２）に記載の空気調和システム。
【００１４】
（３）の発明における空気調和システムは、所定の環境情報に対応する香り情報を記憶する記憶手段と、を更に備え、制御手段は、記憶手段に記憶される所定の環境情報に対応する香り情報に基づいて所定の香り制御信号を出力する。これにより、空気調和システムは、記憶手段に記憶される所定の環境情報に対応する香り情報に基づいて細やかな対応をすることができる。ここで、香り情報は、例えば、香りの種類、放出量、放出時間、複数の香りから配合される場合には配合される香りの種類と配合比率等を含むことができる。香り情報は、例えば、少なくとも香りの種類と放出量の情報を含むことが好ましい。
【００１５】
（４）  該空気調和システムは所定のモードを有し、前記記憶手段は、前記所定のモードに応じた香り情報を有し、該空気調和システムが前記所定のモードにある場合には、前記制御手段は、前記記憶手段に記憶される前記所定のモードに応じた香り情報に基づいて前記所定の香り制御信号を出力する（３）に記載の空気調和システム。
【００１６】
（４）の発明における空気調和システムは、空気調和システムは所定のモードを有し、記憶手段は、所定のモードに応じた香り情報を有し、空気調和システムが前記所定のモードにある場合には、制御手段は、記憶手段に記憶される所定のモードに応じた香り情報に基づいて所定の香り制御信号を出力する。例えば、空気調和システムは、所定の目的を達成するために設定される所定のモード中においては、該所定の目的を達成させることを優先した温度制御等を行うと共に、所定空間における不快感等を抑制することができる香りを該所定空間に放出する。これにより、所定モードの目的を達成する過程における所定空間における人の不快等を抑制することで、所定の目的を好適に達成することができる。更には、所定の香りが所定のモードであることを知らせる役目を果たすことで、該所定のモードの目的を所定空間における各人が認識させることができる。ここで、所定のモードとして、例えば、省エネモード、デマンド制御モード、リラックスモード、集中モード、眠気覚ましモード等をあげることができる。
【００１７】
（５）  所定時刻を報知する報知手段と、更に備え、前記記憶手段は、前記所定時刻に応じた香り情報を有し、前記報知手段により前記所定時刻が報知された場合には、前記制御手段は、前記記憶手段に記憶された前記所定時刻に応じた香り情報に基づいて前記所定の香り制御信号を出力する（３）又は（４）に記載の空気調和システム。
【００１８】
（５）の発明における空気調和システムは、所定時刻を報知する報知手段と、を更に備え、記憶手段は、所定時刻に応じた香り情報を有し、報知手段により所定時刻が報知された場合には、制御手段は、記憶手段に記憶された所定時刻に応じた香り情報に基づいて所定の香り制御信号を出力する。これにより、所定空間に存在する人は、所定の香りにより時刻を認識することができる。また、時刻に基づくバイオリズム（例えば、朝：眠い、午前中：集中できる、昼前：空腹、午後：眠い、夕方：疲労）上の悪影響を抑制し、好影響を助長するような香りを放出することで、作業性等を向上させることができる。
【００１９】
（６）  前記記憶手段は、前記所定空間に配置される座席のレイアウトを含むレイアウト情報と、前記座席の利用者情報と、を有し、前記制御手段は、前記レイアウト情報及び前記利用者情報に基づいて前記香り制御信号を出力する（３）から（５）のいずれかに記載の空気調和システム。
【００２０】
（６）の発明における空気調和システムは、記憶手段が、所定空間に配置される座席のレイアウトを含むレイアウト情報と、座席の利用者情報と、を有し、制御手段は、レイアウト情報及び利用者情報に基づいて香り制御信号を出力する。これにより、空気調和システムは、所定空間における各人の位置及び各人に関する情報に基づいて所定の香りを放出するので、細やかな対応が可能となる。更には、所定の利用者及び該所定の利用者に隣接する利用者の情報に基づいて所定の香りを放出するので、より細やかな対応が可能となる。具体的には、喫煙に関する情報を利用者情報に含ませることができ、例えば、喫煙者と嫌煙者との席が隣同士である場合には、所定の香りに煙草の匂いを消臭可能な香りを含ませることができる。ここで、利用者情報として、例えば、在席情報、職種情報、喫煙情報、嫌煙情報、隣席者情報等をあげることができる。
【００２１】
（７）  前記空気調和手段は、１又は複数の送風口を備え、前記記憶手段は、前記１又は複数の送風口の位置情報を有し、前記制御手段は、前記位置情報に基づいて前記１又は複数の送風口それぞれから放出される香りに関する香り制御信号を出力し、前記香り発生手段は、前記制御手段により出力された前記香り制御信号に基づいて前記１又は複数の送風口それぞれから放出される香りを発生させる（３）から（６）のいずれかに記載の空気調和システム。
【００２２】
（７）の発明における空気調和システムは、空気調和手段が、１又は複数の送風口を備え、記憶手段が、１又は複数の送風口の位置情報を有し、制御手段が、位置情報に基づいて１又は複数の送風口それぞれから放出される香りに関する香り制御信号を出力し、香り発生手段が、前記制御手段により出力された香り制御信号に基づいて１又は複数の送風口それぞれから放出される香りを発生させる。これにより、空気調和システムは、更に細やかに対応することができる。特に、上述したレイアウト情報及び利用者情報を踏まえることで、より各利用者の実情に対応した香りの放出等をすることができる。
【００２３】
（８）  前記香り発生手段は、複数の香りから前記所定の香り制御信号に応じた香りを調合可能である（１）から（７）のいずれかに記載の空気調和システム。
【００２４】
（８）の発明における空気調和システムは、香り発生手段は、複数の香りから所定の香り制御信号に応じた香りを調合可能である。これにより、基本となる数種類の香りから多数の香りを調合することができると共に、該空気調和システムに必要な香料及び香料を収容する容器等を少なくすることができる。また、例えば、環境情報に対応する香り情報に該香りを調合するための配合比率等を含ませることができる。
【００２５】
（９）  所定空間における少なくとも温度情報を含む環境情報を取得する環境情報取得手段と、前記環境情報取得手段により取得された前記環境情報に基づいて所定の香り制御信号を出力する制御手段と、前記制御手段により出力された前記所定の香り制御信号に基づいて香りを発生させる香り発生手段と、前記香り発生手段により発生される前記香りを前記所定空間に放出可能であると共に、前記所定空間の少なくとも温度を調整可能な空気調和手段と、を備える空気調和装置。
【００２６】
（９）の発明における空気調和装置は所定空間における少なくとも温度情報を含む環境情報を取得する環境情報取得手段と、環境情報取得手段により取得された環境情報に基づいて所定の香り制御信号を出力する制御手段と、制御手段により出力された所定の香り制御信号に基づいて香りを発生させる香り発生手段と、香り発生手段により発生される香りを所定空間に放出可能であると共に、所定空間の少なくとも温度を調整可能な空気調和手段と、を備える。これにより、この空気調和装置は、人の感覚（快、不快）に大きな影響を与える温度情報を含む環境情報に応じた香りを所定空間に放出することで、該所定空間における環境性を向上させることができる。言い換えると、所定空間に存在する人の作業効率を向上させることや、不快感を抑制させることができる。また、所定の香りを放出すると共に、所定空間の少なくとも温度を調整することで、より好適に所定空間における環境を調整することができる。また、所定空間の温度に加えて湿度を調整することで、更に好適に所定空間における環境を調整することができる。
【００２７】
（１０）  前記環境情報は、湿度情報、音情報、匂い情報及び二酸化炭素量情報の少なくとも１以上を更に含む（９）に記載の空気調和装置。
【００２８】
（１０）の発明における空気調和装置は、環境情報が、湿度情報、音情報、匂い情報及び二酸化炭素量情報の少なくとも１以上を更に含む。それぞれの指標における測定結果に応じた香りを放出することができる。これより、この空気調和装置は、温度では把握できない環境情状況に対応した対応をすることができる。また、空気調和装置は、複数の指標で所定空間の環境を測定し、該測定された環境情報に応じた香りを所定空間に放出することができる。これにより、空気調和装置は、より細やかな対応をすることができる。
【００２９】
（１１）  所定の環境情報に対応する香り情報を記憶する記憶手段と、を更に備え、前記制御手段は、前記記憶手段に記憶される前記環境情報に対応する香り情報に基づいて前記所定の香り制御信号を出力する（９）又は（１０）に記載の空気調和装置。
【００３０】
（１１）の発明における空気調和装置は、所定の環境情報に対応する香り情報を記憶する記憶手段と、を更に備え、制御手段は、記憶手段に記憶される所定の環境情報に対応する香り情報に基づいて所定の香り制御信号を出力する。これにより、空気調和装置は、記憶手段に記憶される所定の環境情報に対応する香り情報に基づいて細やかな対応をすることができる。ここで、香り情報は、例えば、香りの種類、放出量、放出時間、複数の香りから配合される場合には配合される香りの種類と配合比率等を含むことができる。香り情報は、例えば、少なくとも香りの種類と放出量の情報を含むことが好ましい。
【００３１】
（１２）  該空気調和装置は所定のモードを有し、前記記憶手段は、前記所定のモードに応じた香り情報を有し、該空気調和装置が前記所定のモードにある場合には、前記制御手段は、前記記憶手段に記憶される前記所定のモードに応じた香り情報に基づいて前記所定の香り制御信号を出力する（１１）に記載の空気調和装置。
【００３２】
（１２）の発明における空気調和装置は、空気調和装置は所定のモードを有し、記憶手段は、所定のモードに応じた香り情報を有し、空気調和装置が前記所定のモードにある場合には、制御手段は、記憶手段に記憶される所定のモードに応じた香り情報に基づいて所定の香り制御信号を出力する。例えば、空気調和装置は、所定の目的を達成するために設定される所定のモード中においては、該所定の目的を達成させることを優先した温度制御等を行うと共に、所定空間における不快感等を抑制することができる香りを該所定空間に放出する。これにより、所定モードの目的を達成する過程における所定空気における人の不快等を抑制することで、所定の目的を好適に達成することができる。更には、所定の香りが所定のモードであることを知らせる役目を果たすことで、該所定のモードの目的を所定空間における各人が認識させることができる。ここで、所定のモードとして、例えば、省エネモード、デマンド制御モード、リラックスモード、集中モード、眠気覚ましモード等をあげることができる。
【００３３】
（１３）  所定時刻を報知する報知手段と、更に備え、前記記憶手段は、前記所定時刻に応じた香り情報を有し、前記報知手段により前記所定時刻であることが報知された場合には、前記制御手段は、前記記憶手段に記憶された前記所定時刻に応じた香り情報に基づいて前記所定の香り制御信号を出力する（１１）又は（１２）に記載の空気調和装置。
【００３４】
（１３）の発明における空気調和装置は、所定時刻を報知する報知手段と、を更に備え、記憶手段は、所定時刻に応じた香り情報を有し、報知手段により所定時刻が報知された場合には、制御手段は、記憶手段に記憶された所定時刻に応じた香り情報に基づいて所定の香り制御信号を出力する。これにより、所定空間に存在する人は、所定の香りにより時刻を認識することができる。また、時刻に基づくバイオリズム（例えば、朝：眠い、午前中：集中できる、昼前：空腹、午後：眠い、夕方：疲労）上の悪影響を抑制し、好影響を助長するような香りを放出することで、作業性等を向上させることができる。
【００３５】
（１４）  前記記憶手段は、前記所定空間に配置される座席のレイアウトを含むレイアウト情報と、前記座席の利用者情報と、を有し、前記制御手段は、前記レイアウト情報及び前記利用者情報に基づいて前記香り制御信号を出力する（１１）から（１３）のいずれかに記載の空気調和装置。
【００３６】
（１４）の発明における空気調和装置は、記憶手段が、所定空間に配置される座席のレイアウトを含むレイアウト情報と、座席の利用者情報と、を有し、制御手段は、レイアウト情報及び利用者情報に基づいて香り制御信号を出力する。これにより、空気調和装置は、所定空間における各人の位置及び各人に関する情報に基づいて所定の香りを放出するので、細やかな対応が可能となる。更には、所定の利用者及び該所定の利用者に隣接する利用者の情報に基づいて所定の香りを放出するので、より細やかな対応が可能となる。具体的には、喫煙に関する情報を利用者情報に含ませることができ、例えば、喫煙者と嫌煙者との席が隣同士である場合には、所定の香りに煙草の匂いを消臭可能な香りを含ませることができる。ここで、利用者情報として、例えば、在席情報、職種情報、喫煙情報、嫌煙情報、隣席者情報等をあげることができる。
【００３７】
（１５）  前記香り発生手段は、複数の香りから前記所定の香り制御信号に応じた香りを調合可能である（１１）から（１４）のいずれかに記載の空気調和装置。
【００３８】
（１５）の発明における空気調和装置は、香り発生手段は、複数の香りから所定の香り制御信号に応じた香りを調合可能である。これにより、基本となる数種類の香りから多数の香りを調合することができると共に、該空気調和装置に必要な香料及び香料を収容する容器等を少なくすることができる。
【発明の効果】
【００３９】
本発明によれば、複数の人が存在可能な所定空間に所定の香りを放出する空気調和システム及び空気調和装置を提供することができる。
【発明を実施するための最良の形態】
【００４０】
以下、図面を参照して本発明を実施するための最良の形態を説明する。
【００４１】
図１は、本発明の空気調和システムを示す概略図である。図２は、本発明の空気調和システムを示すブロック図である。図３は、本発明の空気調和システムにおける空気調和手段の一例を示すブロック図である。図４は、本発明の空気調和システムの実施例を示す平面図である。図５は、本発明の空気調和装置を示すブロック図である。図６は、本発明の空気調和装置の実施例を示す斜視図である。図７は、温度―香りＤＢの一例である。図８は、湿度―香りＤＢの一例である。図９は、音―香りＤＢの一例である。図１０は、ＣＯ２―香りＤＢの一例である。図１１は、匂い―香りＤＢの一例である。図１２は、モード基本ＤＢの一例である。図１３は、デマンド制御モードにおける温度―香りＤＢの一例である。図１４は、時刻―香りＤＢの一例である。図１５は、レイアウト情報ＤＢの一例である。図１６は、利用者情報ＤＢの一例である。図１７は、位置情報ＤＢの一例である。図１８は、環境情報として温度情報を取得した場合における空気調和システムの動作を説明するためのフローチャートである。図１９は、環境情報として温度情報及び湿度情報を取得した場合における空気調和システムの動作を説明するためのフローチャートである。図２０は、環境情報として温度情報、音情報及び匂い情報を取得した場合における空気調和システムの動作を説明するためのフローチャートである。図２１は、空気調和システムが所定モードにある場合における該空気調和システムの動作を説明するためのフローチャートである。図２２は、所定時刻に応じた空気調和システムの動作を説明するためのフローチャートである。図２３は、環境情報として温度情報を取得した場合における空気調和システムの図１とは異なる動作を説明するためのフローチャートである。
【００４２】
「１」空気調和システム
「１．１」全体構成
図１及び図２により、本発明の空気調和システムの全体構成を説明する。図１において、本実施形態における空気調和システム１は、環境情報取得手段であるセンサ７Ａ、７Ｂ、７Ｃと、制御手段であるＣＰＵ２と、記憶手段であるメモリ３と、情報入力部４と、香り発生手段を構成する香料収容部６Ａ、６Ｂ、６Ｃ、６Ｄ及び香り調合部５と、空気調和手段を構成する室内機８Ａ、８Ｂ、８Ｃ及び室外機８０と、を備える。
【００４３】
図１に示すように、センサ７Ａ、７Ｂ、７Ｃは、所定空間９に配置され、該所定空間９の環境情報を取得する。センサ７Ａ、７Ｂ、７Ｃは、少なくとも温度情報を取得し、更に、湿度情報、音情報、匂い情報及び二酸化炭素量情報の少なくとも１以上を取得することができる。例えば、温度情報を取得する場合には、所定の温度測定用センサを用いることができる。例えば、湿度を測定する場合には、所定の湿度測定用センサを用いることができる。例えば、音を測定するには、所定の音の大きさを測定するセンサや、所定の周波数領域における音の大きさを測定センサを用いることができる。例えば、二酸化炭素量を測定するには、所定の二酸化炭素測定用センサを用いることができる。例えば、匂い情報を取得する場合には、所定の揮発性物質等の量を測定するセンサ等を用いることができる。また、いわゆる公知の匂いセンサを用いることができる。
【００４４】
図２に示すように、センサ７Ａ、７Ｂ、７Ｃは、所定空間９における環境情報の測定結果を、ＣＰＵ２に出力する。
【００４５】
図１に示すように、ＣＰＵ２は、センサ７Ａ、７Ｂ、７Ｃにより取得された所定空間９における環境情報に応じて、所定の香り制御信号を香り発生手段を構成する香料収容部６Ａ、６Ｂ、６Ｃ、６Ｄ及び香り調合部５に出力する。更には、図２に示すように、香り放出部５１を制御する室内機側ＣＰＵ２０にも所定の香り制御信号を出力する。ここで、本実施形態において、制御手段としてＣＰＵを例示しているがこれに限定されない。
【００４６】
香り情報は、少なくとも香りの種類に関する情報を含み、好ましくは香りの種類と放出量に関する情報を含む。また、香り情報は、例えば、香りの種類又は放出量に加えて、放出時間（連続、間欠の場合の双方を含む）、複数の香りから配合される場合には配合される香りの種類と配合比率等の情報を含むことができる。
【００４７】
ここで、ＣＰＵ２は、所定の電気信号を送受信可能に接続されるメモリ３において記憶される環境情報に対応する香り情報に基づいて、所定の香り制御信号を出力することができる。
【００４８】
図１に示すように、メモリ３は、ＣＰＵ２と所定の電気信号を送受信可能に接続される。ここで、メモリ３は、例えば、揮発性又は不揮発性の半導体記憶素子から構成される。
【００４９】
メモリ３は、所定の環境情報に応じた香り情報を有するＤＢを有する。例えば、図２に示すように、温度情報に対応する香り情報を有する温度―香りＤＢ３１１、湿度情報に対応する香り情報を有する湿度―香りＤＢ３１３、音情報に対応する香り情報を有する音―香り情報ＤＢ３１５、二酸化炭素量情報に対応する香り情報を有するＣＯ２―香りＤＢ３１７、匂い情報に対応する香り情報を有する匂い―香りＤＢ３１９等を有する。各種ＤＢの詳細については、後述の通りである。
【００５０】
ＣＰＵ２は、センサ７Ａ、７Ｂ、７Ｃから取得した環境情報を、メモリ３に記憶される上述のＤＢに適用して所定の香り情報を抽出すると共に、該抽出された香り情報に基づいて所定の香り制御信号を香り発生手段等に出力する。環境情報が複数の場合には、複数のＤＢに適用すると共に所定の規則に基づいて所定の香り情報を抽出し、該抽出された香り情報に基づいて所定の香り制御信号を香り発生手段等に出力する。
【００５１】
また、メモリ３は、後述する所定のモードに対応する香り情報を有するモード―香りＤＢ３２０、時刻に対応する香り情報を有する時刻―香りＤＢ３３０、座席のレイアウトを含むレイアウト情報を有するレイアウト情報ＤＢ３４０、各座席を利用する利用者の情報を有する利用者情報ＤＢ３５０、送風口８３Ａ、８３Ｂ、８３Ｃの位置情報を有する位置情報ＤＢ３６０を有する。各種ＤＢの詳細については、後述の通りである。
【００５２】
また、メモリ３に記憶される各種ＤＢは、メモリ３に所定の電位信号を送受信可能に接続される情報入力部４により適宜修正等することができる。
【００５３】
香料収容部６Ａ、６Ｂ、６Ｃ、６Ｄは、例えば、液体状の香料を収容することができる。香料収容部６Ａ、６Ｂ、６Ｃ、６Ｄに収容される香料は、それぞれ単独で使用しても、また、香り調合部５により所定の香りに調合して使用しても良い。これは、ＣＰＵ２から出力される所定の香り制御信号に応じて決められる。
【００５４】
例えば、ＣＰＵ２からの所定の香り制御信号に香りの種類と配合比率に関する制御情報が含まれる場合、香料収容部６Ａ、６Ｂ、６Ｃ、６Ｄから、所定の香料が所定の配合比率で配合されるよう香り調合部５に滴下される。そして、ＣＰＵ２からの香り制御信号に香りの放出量や放出時間に関する制御情報が含まれる場合、香り調合部５から該放出量や放出時間に対応可能な所定量の香料が室内機８Ａ、８Ｂ、８Ｃに収容される香り放出部５１に送液等されると共に、所定空間９に放出される。
【００５５】
香り放出部５１において、例えば、液体状の香料は所定の粒径で噴霧される。そして、噴霧された香料は、室外機８０から吸気され温度調整部８１において所定の温度に調整された外気と共に送風口８３Ａ、８３Ｂ、８３Ｃから室内等の所定空間９に放出される。
【００５６】
図１に示すように、室内機８Ａ、８Ｂ、８Ｃは、室内等の所定空間９に配置される。図２に示すように、室内機８Ａ、８Ｂ、８Ｃは、室外機８０から吸気された外気を所定温度の調整可能な温度調整部８１と、香り調合部５から送られる香料を噴霧可能な香り放出部５１と、温度調整部８１及び香り放出部５１を制御可能な室内機側ＣＰＵ２０と、を備える。
【００５７】
室内機側ＣＰＵ２０は、ＣＰＵ２と所定の電気信号を送受信可能に接続される。室内機側ＣＰＵ２０は、ＣＰＵ２からの所定の情報を伝える電気信号により、温度調整部８１及び香り放出部５１を制御する。ここで、室外機側ＣＰＵ２０は、例えば、揮発性又は不揮発性の半導体記憶素子から構成される。
【００５８】
「１．２」変形形態
図３により、本発明の空気調和システムにおける香り発生手段の変形形態を説明する。図３に示すように、変形形態における空気調和システムの香り発生手段は、各香料を直接室内等の所定空間９に放出して該所定空間９において香りを混合させる。
【００５９】
具体的には、該香り発生手段は、液体状の香料を収容可能な香料収容部６０Ａ、６０Ｂ、６０Ｃと、各香料収容部６０Ａ、６０Ｂ、６０Ｃから香料を吸引するポンプ６１Ａ、６１Ｂ、６１Ｃと、各ポンプ６１Ａ、６１Ｂ、６１Ｃにより吸引された香料の放出量を調整可能な香料側弁６３Ａ、６３Ｂ、６３Ｃと、各香料側弁６３Ａ、６３Ｂ、６３Ｃを通過した香料を室内等の所定空間９に所定粒径で噴霧可能な香り放出部６５Ａ、６５Ｂ、６５Ｃと、各香り放出部６５Ａ、６５Ｂ、６５Ｃにおいて香料を噴霧するため送風する送風口８３と、送風口８３における送風量を調整可能な送風側弁８５Ａ、８５Ｂ、８５Ｃと、を備える。
【００６０】
香料収容部６０Ａ、６０Ｂ、６０Ｃにはそれぞれ液状の香料が収容される。香料は、不図示のＣＰＵ２から出力される香り制御信号に応じてポンプ６１Ａ、６１Ｂ、６１Ｃが駆動し、香料収容部６０Ａ、６０Ｂ、６０Ｃの全部又は一部から香り放出部６５Ａ、６５Ｂ、６５Ｃ側に吸引される。ここで、ポンプ６１Ａ、６１Ｂ、６１Ｃは、所定の押し出しポンプ又は吸引ポンプを用いることができる。
【００６１】
各香料側弁６３Ａ、６３Ｂ、６３Ｃは、香り放出部６５Ａ、６５Ｂ、６５Ｃから所定空間９に放出される香料の量を調整する。香料側弁６３Ａ、６３Ｂ、６３Ｃは、所定の流体用の弁を用いることができるが、不図示のＣＰＵ２からの所定の香り制御信号を受信することで開閉動作をするためには、例えば、電磁弁等が好ましい。
【００６２】
香り放出部６５Ａ、６５Ｂ、６５Ｃは、香料を室内等の所定空間９に所定粒径で噴霧可能に構成される。香り放出部６５Ａ、６５Ｂ、６５Ｃにおいて、各香料側弁６３Ａ、６３Ｂ、６３Ｃを通過した香料と、各送風側弁８５Ａ、８５Ｂ、８５Ｃで送風量が調整された送風口８３からの送風とが合流し、香料が所定の粒径で噴霧される。
【００６３】
本変形形態の空気調和システムにおける香り発生手段は、上述の通り、香料収容部６Ａ、６Ｂ、６Ｃ、６Ｄからの香料を調合する所定の香り調合部を有しない。つまり、香料収容部６Ａ、６Ｂ、６Ｃ、６Ｄから香り放出部６５Ａ、６５Ｂ、６５Ｃを介して直接所定空間９に放出される。そして、所定空間９に直接放出された複数の香料は該所定空間９で混合され、例えば、図１又は図２における香り調合部５において調合されたのと同様に所定の香りを発生させることができる。
【００６４】
「２」空気調和装置
図５により、本発明の空気調和装置の全体構成を説明する。図１において、本実施形態における空気調和装置１０は、筐体８５と、該筐体８５に収納されるＣＰＵ２と、メモリ３と、センサ７と、香料収容部６Ａ、６Ｂ、６Ｃ、６Ｄと、香り放出部５１と、筐体８５に形成される送風口８３と、を備える。
【００６５】
ＣＰＵ２、メモリ３、センサ７、香料収容部６Ａ、６Ｂ、６Ｃ、６Ｄ、香り放出部５１については、空気調和システム１において説明した内容と同様である。
【００６６】
空気調和装置１０は、空気調和システム１における所定の要素が筐体８５に収納され、一の空気調和装置を構成する装置である。該空気調和装置１０の動作においても、上述の空気調和システム１における動作と同様である。つまり、環境情報取得手段であるセンサ７により所定空間９における少なくとも温度情報を含む環境情報を取得し、制御手段であるＣＰＵ２は取得された環境情報を取得すると共に記憶手段であるメモリ３に記憶される所定のＤＢから該取得された環境情報に応じた香り情報を抽出する。そして、該抽出された香り情報に基づいた所定の香り制御信号を、香り発生手段を構成する不図示の香り調合部等に出力する。香り制御信号を受信した不図示の香り調合部等は、香り制御信号に含まれる香りの放出量や配合比に関する制御情報に基づいて、香料収容部６Ａ、６Ｂ、６Ｃ、６Ｄに収容される香料を、香り放出部５１側に送液等させる。この送液等された香料は香り放出部５１において所定の粒径で噴霧され、不図示の室外機から送られる空気等と共に、送風口８３から所定空間９に放出される。
【００６７】
［３］各種データベースの構成
図７からから図１７により、メモリ３に記憶される所定の環境情報に応じた香り情報を有する各種ＤＢについて説明する。
【００６８】
上述の通り、記憶手段であるメモリ３は、所定の環境情報に応じた香り情報を有するＤＢを有する。例えば、図２に示すように、温度情報に対応する香り情報を有する温度―香りＤＢ３１１、湿度情報に対応する香り情報を有する湿度―香りＤＢ３１３、音情報に対応する香り情報を有する音―香り情報ＤＢ３１５、二酸化炭素量情報に対応する香り情報を有するＣＯ２―香りＤＢ３１７、匂い情報に対応する香り情報を有する匂い―香りＤＢ３１９等を有する。また、メモリ３は、所定のモードに対応する香り情報を有するモード―香りＤＢ３２０、時刻に対応する香り情報を有する時刻―香りＤＢ３３０、座席のレイアウトを含むレイアウト情報を有するレイアウト情報ＤＢ３４０、各座席を利用する利用者の情報を有する利用者情報ＤＢ３５０、送風口８３Ａ、８３Ｂ、８３Ｃの位置情報を有する位置情報ＤＢ３６０を有する。
【００６９】
「３．１」環境情報
図７から図１１より、所定の環境情報に応じた香り情報を有するＤＢについて説明する。図７は、温度―香りＤＢ３１１の一例である温度―香り情報テーブル９００である。温度―香り情報テーブル９００は、温度９０１と、香り情報９０２とを含む。香り情報９０２は、温度９０１に応じて規定される。香り情報９０２は、香りの種類に関する種類９０３と、一定時間における香りの放出量に関する放出量９０４と、香料の配合に関する配合９０５とを含む。
【００７０】
種類９０３は香りの種類又は名称であり、種類９０３に示される香りは、香料収容部６Ａ、６Ｂ、６Ｃ、６Ｄのいずれかに収容される。種類９０３における香りが、香料収容部Ａ、６Ｂ、６Ｃ、６Ｄに収容されていない場合には、例えば、香料収容部６Ａ、６Ｂ、６Ｃ、６Ｄに収容される香料を、配合９０５に示す比率に従って配合することで調合される。
【００７１】
放出量９０４は、所定時間における香りの放出量を規定する。放出量９０４は、例えば、液体状の香料における質量により規定される。
【００７２】
図８は、湿度―香りＤＢ３１３の一例である湿度―香り情報テーブル９１０である。湿度―香り情報テーブル９１０は、湿度９１１と、香り情報９１２とを含む。香り情報９１２は、湿度９１１に応じて規定される。香り情報９１２は、香りの種類に関する種類９１３と、一定時間における香りの放出量に関する放出量９１４と、香料の配合に関する配合９１５とを含む。種類９１３、放出量９１４、配合９１５は上述の温度―香り情報テーブル９００と同様である。
【００７３】
図９は、音―香り情報ＤＢ３１５の一例である音―香り情報テーブル９２０である。音―香り情報テーブル９２０は、音９２１と、香り情報９２２とを含む。香り情報９２２は、音９２１に応じて規定される。香り情報９２２は、香りの種類に関する種類９２３と、一定時間における香りの放出量に関する放出量９２４と、香料の配合に関する配合９２５とを含む。種類９２３、放出量９２４、配合９２５は上述の温度―香り情報テーブル９００と同様である。
【００７４】
図１０は、ＣＯ２―香り情報ＤＢ３１７の一例であるＣＯ２―香り情報テーブル９３０である。ＣＯ２―香り情報テーブル９３０は、ＣＯ２９３１と、香り情報９３２とを含む。香り情報９３２は、ＣＯ２９３１に応じて規定される。香り情報９３２は、香りの種類に関する種類９３３と、一定時間における香りの放出量に関する放出量９３４と、香料の配合に関する配合９３５とを含む。種類９３３、放出量９３４、配合９３５は上述の温度―香り情報テーブル９００と同様である。
【００７５】
図１１は、匂い―香り情報ＤＢ３１９の一例である匂い―香り情報テーブル９４０である。匂い―香り情報テーブル９４０は、匂い９４１と、香り情報９４２とを含む。香り情報９４２は、匂い９４１に応じて規定される。香り情報９４２は、香りの種類に関する種類９４３と、一定時間における香りの放出量に関する放出量９４４と、香料の配合に関する配合９４５とを含む。種類９４３、放出量９４４、配合９４５は上述の温度―香り情報テーブル９００と同様である。
【００７６】
「３．２」所定モード
図１２及び図１３により、所定モードに対応する香り情報を有するＤＢについて説明する。図１２は、所定モードの基本情報を含むモード基本情報テーブル９５０である。モード基本情報テーブル９５０は、モード９５１と、条件９５２と、優先９５３とを含む。
【００７７】
モード９５１は、所定モードの名称又は内容を示す。図１２において、所定のモードとして、例えば、省エネモード、デマンド制御モード、リラックスモード、集中モード、眠気覚ましモード等を例示できる。
【００７８】
条件９５２は、所定モードにおける動作条件や所定の目的を示す。例えば、デマンド制御モードでは、電力会社との電力契約における契約電力の範囲内とすることを目的とし又は指標として空気調和システム１又は空気調和装置１０を動作させることを規定することができる。
【００７９】
優先９５３は、所定のモードを優先適用するか否かを規定する。優先９５３において、該所定モードを優先することが規定されている場合には、空気調和システム１又は空気調和装置１０が所定モードにある場合には、該所定モードにおける条件９５２に示されるような所定の目的や運転条件が優先される。
【００８０】
つまり、空気調和システム１又は空気調和装置１０が所定のモードにある場合には、所定空間への香りの放出は、所定モードにおける所定の目的を達成するため又は所定の目的達成までの課程において生じる不快感等を抑制するためになされる。空気調和システム１又は空気調和装置１０が所定モードにある場合には、所定空間９における人の感覚が優先ではなく、所定モードにおける所定の目的達成が優先される。
【００８１】
例えば、空気調和システム１又は空気調和装置１０がデマンド制御モードにある場合は、所定の目的である使用電力等を電力会社との電力契約における契約電力の範囲内とする、ということが優先される。これにより、所定空間９における人の感覚よりも使用電力を抑制等することが優先されるので、人が作業等するには暑すぎたり、寒すぎたりすることになり、不快に感じる場合がある。この不快さを抑制するために、例えば、図１３に示すように、デマンド制御モードにおいては、不快に感じる所定の温度領域における香りの放出量９０４Ａを、通常の状態よりも多くしている。
【００８２】
ここで、上述のように、所定モードにおいて香り放出量９０４Ａを多くすることや、通常の場合とは異なる香りを放出させることで、所定空間９にいる人に、空気調和システム１又は空気調和装置１０が所定モードにあることを認識させることができる。所定のモードであることを認識させることで、例えば、上述する快適でない状態を我慢する動機となることも期待される。
【００８３】
「３．３」時刻
図１４により、所定時刻に対応する香り情報を有するＤＢについて説明する。図１４は、所定時刻に対応する香り情報を有する時刻‐香りＤＢ３３０の一例である時刻‐香り情報テーブル９６０である。時刻‐香り情報テーブル９６０は、時刻９６１と、香り情報９６２とを含む。香り情報９６２は、時刻９６１に応じて規定される。香り情報９６２は、香りの種類に関する種類９６３と、一定時間における香りの放出量に関する放出量９６４と、香料の配合に関する配合９６５とを含む。
【００８４】
時刻９６１は所定時刻を規定する。香りの種類９６３は、時刻９６１に応じて規定される。例えば、時刻に応じた人間のバイオリズムに対応するように規定することができる。具体的には、朝：眠い→眠気覚ましになる香り、午前中：集中できる→快適な状態を続かせる香り、昼前：空腹→イライラ等を抑制する香り、午後：眠い→眠気覚ましになる強い香り、夕方：疲労→リラックスする香り、というように香りの種類を選択することができる。これにより、時刻に応じた人間のバイオリズムにより生じる悪影響を抑制し、好影響を助長させることができる。
【００８５】
また、所定時刻において特定の作業等を集中して行う場合等には、その所定時刻において該特定の作業が効率的になるような香りの種類９６３を規定することができる。また、所定時刻であることを所定空間に存在する人に知らせるために、所定時刻９６１ごとに異なる種類の香りの種類９６３を規定することもできる。
【００８６】
「３．４」レイアウト情報、利用者情報、位置情報
図１５により、座席のレイアウトを含むレイアウト情報を有するＤＢについて説明する。図１５は、座席のレイアウトを含むレイアウト情報ＤＢ３４０の一例である座席ＮＯ．―レイアウト情報テーブル９７０である。座席ＮＯ．―レイアウト情報テーブル９７０は、座席ＮＯ．９７１と、レイアウト情報９７２とを含む。レイアウト情報９７２は、所定空間における座席ＮＯ．９７１の座標９７３により規定される。
【００８７】
レイアウト情報９７２は、主に座席の利用者における位置情報として利用される。また、座席以外の物のレイアウト情報９７２は、例えば、放出された香りの流れを把握することに役立てることができる。また、後述する送風口の位置情報と共に利用することで、より細やかな室内空間への香りの放出と空気調和に役立てることができる。
【００８８】
図１６により、座席を利用する利用者の情報を有するＤＢについて説明する。図１６は、各座席を利用する利用者の情報を有する利用者情報ＤＢ３５０の一例である利用者情報テーブル９８０である。利用者情報テーブル９８０は、ＩＤ９８１と、座席９８２と、職種９８３と、喫煙９８４と、嫌煙９８５と、隣席者９８６と、その他９８７とを含む。
【００８９】
ＩＤ９８１は、利用者を識別する識別番号等である。座席９８２は、座席を識別する識別記号等である。この座席のレイアウト情報は、上述のレイアウト情報ＤＢ３４０から適宜抽出することができる。職種９８３は、利用者の職種を示す。職種９８３により、例えば、内勤か外勤かにより、所定空間で作業等する時間や仕事の種類も異なるため、同じ環境情報の所定空間にいても快適・不快の感じ方が異なる。このため、利用者の職種に鑑みながら香りの放出を調整等することで、より細やかな対応が可能となる。
【００９０】
喫煙９８４は、各利用者が喫煙をするか否かを示す。嫌煙９８５は、各利用者が嫌煙か否かを示す。隣席者９８６は、各利用者の隣に座る利用者を識別できる座席情報やＩＤ情報を示す。隣席者９８６の情報により、隣席者からの各種影響を考慮した香りの放出や空気調和をすることができる。例えば、所定の利用者が嫌煙者であり、この利用者の隣席者が喫煙者である場合には、煙草の匂いを抑制する香りを放出する等の対応が可能である。
【００９１】
図１７により、送風口の位置情報を有するＤＢについて説明する。図１７は、各送風口の位置情報を有する位置情報ＤＢ３６０の一例である位置情報テーブル９９０である。位置情報テーブル９９０は、送風口ＮＯ．９９１と、位置情報９９２とを含む。位置情報９９２は、所定空間における送風口ＮＯ．９９１の座標９９３により規定される。
【００９２】
位置情報９９２は、レイアウト情報ＤＢ３４０や利用者情報ＤＢ３５０における所定の情報と共に利用される。具体的には、レイアウト情報ＤＢ３４０と、利用者情報ＤＢと、位置情報ＤＢとにおける所定の情報から各送風口から放出される香りが直接的に影響を与える範囲の利用者及び利用者の情報を取得することができるので細やかな対応が可能となる。
【００９３】
［４］実施例
［４．１］
図１８から図２０に示すフローチャートにより、空気調和システム１又は空気調和装置１０における動作を説明する。
【００９４】
図１８は、環境情報として温度情報を取得した場合における空気調和システム１又は空気調和装置１０の動作を示すフローチャートである。空気調和システム１又は空気調和装置１０は、環境情報取得手段であるセンサ７により、所定空間９である室内の温度情報を取得する（ＳＴ１１０）。このセンサ７により取得された温度情報は、制御手段であるＣＰＵ２に出力される（ＳＴ１２０）。ＣＰＵ２は、記憶手段であるメモリ３にアクセスし、該メモリ３に記憶される温度―香りＤＢ３１１から取得した温度情報に応じた香り情報を抽出する（ＳＴ１３０）。ＣＰＵ２は、抽出した香り情報に基づいて所定の香り制御信号を出力する（ＳＴ１４０）。具体的には、放出する香りの種類に応じた香料収容部６Ａ、６Ｂ、６Ｃ、６Ｄに収容される香料の指定及びそれぞれにおける放出量を指定する情報を含む信号を出力する。そして、ＣＰＵ２から出力された香り制御信号を取得した香り発生手段は、該香り制御信号に基づいて香りを発生させる（ＳＴ１５０）。ここで、空気調和システム１又は空気調和装置１０が室内の温度・湿度を調整するよう設定されている場合には、例えば、温度調整部８１により設定条件に応じた温度調整を行うと共に、不図示の湿度調整部により設定条件に応じた湿度調整を行う（ＳＴ１６０、ＳＴ１７０）。そして、香り発生手段で発生された香りは、常温又は温度調整部８１で室内を所定温度に調整するために調整され不図示の湿度調整部により所定湿度に調整された冷風若しくは温風と共に空気調和手段における送風口から室内に放出される（ＳＴ１８０）。
【００９５】
図１９は、環境情報として温度情報及び湿度情報を取得した場合における空気調和システム１又は空気調和装置１０の動作を示すフローチャートである。空気調和システム１又は空気調和装置１０は、環境情報取得手段であるセンサ７により、所定空間９である室内の温度情報及び湿度情報を取得する（ＳＴ２１０）。このセンサ７により取得された温度情報及び湿度情報は、制御手段であるＣＰＵ２に出力される（ＳＴ２２０）。ＣＰＵ２は、記憶手段であるメモリ３にアクセスし、該メモリ３に記憶される温度―香りＤＢ３１１及び湿度―香りＤＢ３１３から取得した温度情報及び湿度情報に応じた香り情報を抽出する（ＳＴ２３０）。ＣＰＵ２は、抽出した香り情報に基づいて所定の香り制御信号を出力する（ＳＴ２４０）。具体的には、放出する香りの種類に応じた香料収容部６Ａ、６Ｂ、６Ｃ、６Ｄに収容される香料の指定及びそれぞれにおける放出量を指定する情報を含む信号を出力する。そして、ＣＰＵ２から出力された香り制御信号を取得した香り発生手段は、該香り制御信号に基づいて香りを発生させる（ＳＴ２５０）。ここで、空気調和システム１又は空気調和装置０が室内の温度・湿度を調整するよう設定されている場合には、例えば、温度調整部８１により設定条件に応じた温度調整を行うと共に、不図示の湿度調整部により設定条件に応じた湿度調整を行う（ＳＴ２６０、ＳＴ２７０）。そして、香り発生手段で発生された香りは、常温又は温度調整部８１で室内を所定温度に調整するために調整され不図示の湿度調整部により所定湿度に調整された冷風若しくは温風と共に空気調和手段における送風口から室内に放出される（ＳＴ２８０）。
【００９６】
図２０は、環境情報として温度情報、音情報及び匂い情報を取得した場合における空気調和システム１又は空気調和装置１０の動作を示すフローチャートである。空気調和システム１又は空気調和装置１０は、環境情報取得手段であるセンサ７により、所定空間９である室内の温度情報、音情報及び匂い情報を取得する（ＳＴ３１０）。このセンサ７により取得された温度情報、音情報及び匂い情報は、制御手段であるＣＰＵ２に出力される（ＳＴ３２０）。ＣＰＵ２は、記憶手段であるメモリ３にアクセスし、該メモリ３に記憶される温度―香りＤＢ３１１、温度―音情報ＤＢ３１５及び匂い―香りＤＢ３１９から取得した温度情報、音情報及び匂い情報に応じた香り情報を抽出する（ＳＴ３３０）。ＣＰＵ２は、抽出した香り情報に基づいて所定の香り制御信号を出力する（ＳＴ３４０）。具体的には、放出する香りの種類に応じた香料収容部６Ａ、６Ｂ、６Ｃ、６Ｄに収容される香料の指定及びそれぞれにおける放出量を指定する情報を含む信号を出力する。そして、ＣＰＵ２から出力された香り制御信号を取得した香り発生手段は、該香り制御信号に基づいて香りを発生させる（ＳＴ３５０）。ここで、空気調和システム１又は空気調和装置１０が室内の温度・湿度を調整するよう設定されている場合には、例えば、温度調整部８１により設定条件に応じた温度調整を行うと共に、不図示の湿度調整部により設定条件に応じた湿度調整を行う（ＳＴ３６０、ＳＴ３７０）。そして、香り発生手段で発生された香りは、常温又は温度調整部８１で室内を所定温度に調整するために調整され不図示の湿度調整部により所定湿度に調整された冷風若しくは温風と共に空気調和手段における送風口から室内に放出される（ＳＴ３８０）。
【００９７】
［４．２］
図２１に示すフローチャートにより、所定モードにおける空気調和システム１又は空気調和装置１０における動作を説明する。
【００９８】
図２１は、空気調和システム１又は空気調和装置１０が所定モードにある場合における動作を示す動作を示すフローチャートである。空気調和システム１又は空気調和装置１０は、環境情報取得手段であるセンサ７により、所定空間９である室内の温度情報を取得する（ＳＴ４１０）。このセンサ７により取得された温度情報は、制御手段であるＣＰＵ２に出力される（ＳＴ４２０）。ＣＰＵ２は、記憶手段であるメモリ３にアクセスし、該メモリ３に記憶される所定のＤＢから取得した香り情報を抽出する。ここで、空気調和システム１又は空気調和装置１０が所定モードにある場合には、メモリ３に記憶されるモード―香りＤＢから取得した温度情報に応じた香り情報を抽出する（ＳＴ４３０、ＳＴ４４０）。空気調和システム１又は空気調和装置１０が所定モードにない場合には、メモリ３に記憶される温度―香りＤＢから取得した温度情報に応じた香り情報を抽出する（ＳＴ４３０、ＳＴ４４５）。ＣＰＵ２は、抽出した香り情報に基づいて所定の香り制御信号を出力する（ＳＴ４５０）。具体的には、放出する香りの種類に応じた香料収容部６Ａ、６Ｂ、６Ｃ、６Ｄに収容される香料の指定及びそれぞれにおける放出量を指定する情報を含む信号を出力する。そして、ＣＰＵ２から出力された香り制御信号を取得した香り発生手段は、該香り制御信号に基づいて香りを発生させる（ＳＴ４６０）。ここで、空気調和システム１又は空気調和装置１０が室内の温度・湿度を調整するよう設定されている場合には、例えば、温度調整部８１により設定条件に応じた温度調整を行うと共に、不図示の湿度調整部により設定条件に応じた湿度調整を行う（ＳＴ４７０、ＳＴ４８０）。そして、香り発生手段で発生された香りは、常温又は温度調整部８１で室内を所定温度に調整するために調整され不図示の湿度調整部により所定湿度に調整された冷風若しくは温風と共に空気調和手段における送風口から室内に放出される（ＳＴ４９０）。
【００９９】
［４．３］
図２２に示すフローチャートにより、所定時刻における空気調和システム１又は空気調和装置１０における動作を説明する。
【０１００】
図２２は、所定時刻における空気調和システム１又は空気調和装置１０の動作を示す動作を示すフローチャートである。空気調和システム１又は空気調和装置１０は、環境情報取得手段であるセンサ７により、所定空間９である室内の温度情報を取得する（ＳＴ５１０）。このセンサ７により取得された温度情報は、制御手段であるＣＰＵ２に出力される（ＳＴ５２０）。ＣＰＵ２は、記憶手段であるメモリ３にアクセスし、該メモリ３に記憶される所定のＤＢから取得した香り情報を抽出する。ここで、空気調和システム１又は空気調和装置１０が所定時刻報知手段を備える場合において該時刻報知手段から所定時刻が報知されている場合には、メモリ３に記憶される時刻―香りＤＢから取得した温度情報に応じた香り情報を抽出する（ＳＴ５３０、ＳＴ５４０）。ここで、所定時刻には、例えば、Ａ時刻からＢ時刻までという指定も含む。また、例えば、Ａ時刻から１時間という指定も含む。そして、所定時刻が報知されていない（報知されたがその時刻にない場合も含む）場合には、メモリ３に記憶される温度―香りＤＢから取得した温度情報に応じた香り情報を抽出する（ＳＴ５３０、ＳＴ５４５）。ＣＰＵ２は、抽出した香り情報に基づいて所定の香り制御信号を出力する（ＳＴ５５０）。具体的には、放出する香りの種類に応じた香料収容部６Ａ、６Ｂ、６Ｃ、６Ｄに収容される香料の指定及びそれぞれにおける放出量を指定する情報を含む信号を出力する。そして、ＣＰＵ２から出力された香り制御信号を取得した香り発生手段は、該香り制御信号に基づいて香りを発生させる（ＳＴ５６０）。ここで、空気調和システム１又は空気調和装置１０が室内の温度・湿度を調整するよう設定されている場合には、例えば、温度調整部８１により設定条件に応じた温度調整を行うと共に、不図示の湿度調整部により設定条件に応じた湿度調整を行う（ＳＴ５７０、ＳＴ５８０）。そして、香り発生手段で発生された香りは、常温又は温度調整部８１で室内を所定温度に調整するために調整され不図示の湿度調整部により所定湿度に調整された冷風若しくは温風と共に空気調和手段における送風口から室内に放出される（ＳＴ５９０）。
【０１０１】
［４．４］
図２３に示すフローチャートにより、レイアウト情報、利用者情報、位置情報を利用した空気調和システム１又は空気調和装置１０における動作を説明する。
【０１０２】
図２３は、環境情報として温度情報を取得した場合におけるレイアウト情報、利用者情報、位置情報を利用した空気調和システム１又は空気調和装置１０の動作を示すフローチャートである。空気調和システム１又は空気調和装置１０は、環境情報取得手段であるセンサ７により、所定空間９である室内の温度情報を取得する（ＳＴ６１０）。このセンサ７により取得された温度情報は、制御手段であるＣＰＵ２に出力される（ＳＴ６２０）。ＣＰＵ２は、記憶手段であるメモリ３にアクセスし、該メモリ３に記憶される温度―香りＤＢ３１１から取得した温度情報に応じた香り情報を抽出する（ＳＴ６３０）。
【０１０３】
ここで、ＣＰＵ２が香り情報を抽出する際には、レイアウト情報ＤＢ３４０、利用者情報ＤＢ３５０、位置情報ＤＢ３６０に含まれる所定の情報が利用される。例えば、レイアウト情報ＤＢ３４０に含まれるレイアウト情報から座席の位置情報を取得し、利用者情報ＤＢ３５０に含まれる利用者情報から所定の座席を利用する利用者の職種や喫煙の有無等の情報を取得し、位置情報ＤＢ３６０に含まれる送風口８３の位置情報を取得し、これらの情報に基づいて所定の送風口から放出される香りが及ぶ範囲と、この範囲における座席を利用する利用者の感覚を予測して所定の香りを放出することができる。
【０１０４】
ＣＰＵ２は、抽出した香り情報に基づいて所定の香り制御信号を出力する（ＳＴ６４０）。具体的には、放出する香りの種類に応じた香料収容部６Ａ、６Ｂ、６Ｃ、６Ｄに収容される香料の指定及びそれぞれにおける放出量を指定する情報を含む信号を出力する。そして、ＣＰＵ２から出力された香り制御信号を取得した香り発生手段は、該香り制御信号に基づいて香りを発生させる（ＳＴ６５０）。ここで、空気調和システム１又は空気調和装置１０が室内の温度・湿度を調整するよう設定されている場合には、例えば、温度調整部８１により設定条件に応じた温度調整を行うと共に、不図示の湿度調整部により設定条件に応じた湿度調整を行う（ＳＴ６６０、ＳＴ６７０）。そして、香り発生手段で発生された香りは、常温又は温度調整部８１で室内を所定温度に調整するために調整され不図示の湿度調整部により所定湿度に調整された冷風若しくは温風と共に空気調和手段における送風口から室内に放出される（ＳＴ６８０）。
【０１０５】
［４．５］
図４により、空気調和システム１の実施例について説明する。
【０１０６】
図４は、所定空間９であるオフィスにおける空気調和システム１の実施例を示す。所定空間９であるオフィスには、空気調和システム１における室内機８Ｄから８Ｌが該オフィスにおける壁に配置される。室内機８Ｄから８Ｌは、それぞれ送風口８３Ｄから８３Ｌを備える。これら送風口８３Ｄから８３Ｌの位置情報は、位置情報ＤＢ３６０に含まれる。
【０１０７】
所定空間９であるオフィスには、座席９０から９９が配置される。座席９０から９２は、それぞれａからｊの座席を有する。これら座席のレイアウト情報は、レイアウト情報ＤＢ３４０に含まれる。更に、これらの座席を利用する利用者の情報は、利用者情報ＤＢ３５０に含まれる。
【０１０８】
所定空間９であるオフィスは、所定の壁等で小さく区切られた所定空間９Ｇから９Ｌを有する。所定空間９Ｇには、座席９３と、送風口８３Ｇを備える室内機８Ｇが配置される。所定空間９Ｈには、座席９４と、送風口８３Ｈを備える室内機８Ｈが配置される。所定空間９Ｉには、座席９５と、送風口８３Ｉを備える室内機８Ｉが配置される。所定空間９Ｌには、座席９９と、送風口８３Ｌを備える室内機８Ｌが配置される。
【０１０９】
室内機８Ｄは、主に座席９０に含まれる座席９０ａから９０ｊが配置される範囲における空気を調和させる。言い換えると、室内機８Ｄは、主に座席９０ａから９０ｊを利用する利用者に対して所定の香りを含む冷風又は温風を送風する。同様に、室内機８Ｅは、主に座席９１ａから９１ｊを利用する利用者に対して所定の香りを含む冷風又は温風を送風する。また、同様に、室内機８Ｆは、主に座席９２ａから９２ｊを利用する利用者に対して所定の香りを含む冷風又は温風を送風する。
【０１１０】
室内機８Ｇは、所定空間９Ｇに配置される座席９３を利用する利用者に対して所定の香りを含む冷風又は温風を送風する。また、室内機８Ｈは、所定空間９Ｈに配置される座席９４を利用する利用者に対して所定の香りを含む冷風又は温風を送風する。また、室内機８Ｉは、所定空間９Ｉに配置される座席９５を利用する利用者に対して所定の香りを含む冷風又は温風を送風する。また、室内機８Ｌは、所定空間９Ｌに配置される座席９９を利用する利用者に対して所定の香りを含む冷風又は温風を送風する。
【０１１１】
上述のように、レイアウト情報ＤＢ３４０、利用者情報ＤＢ３５０、位置情報ＤＢ３６０に含まれる所定の情報を利用することで、各室内機８Ｄから８Ｌにおける送風口８３Ｄから８３Ｌから放出される香りが主に影響を与える対象を把握することができる。これにより、対象である各利用者の実情に応じた細やかな対応が可能となる。
【０１１２】
具体的には、図１６における利用者情報テーブル９８０から、座席９０ｆの利用者は喫煙者であり、座席９０ｆに隣接する座席９０ｇの利用者は嫌煙者である情報から、例えば、室内機８Ｄは、煙草の匂いを抑制する香りを放出することができる。
【０１１３】
また、利用者情報テーブル９８０から、座席９０ａから９０ｊの利用者における職務は主に室内で静的な作業を行う事務であり、座席９１ａから９１ｊの利用者における職務は主に室外で動的な活動を行う営業であるという情報が得られる。この情報から、例えば、室内機８Ｄは、作業に集中できるような香りを放出すると共に温度は所定温度に保つように調整し、室内機８Ｅは、リラックスするような香りを放出すると共に温度は外気の温度を参照して調整するようにするこができる。
【０１１４】
［４．６］
図６により、空気調和装置１０の実施例について説明する。
【０１１５】
図６は、所定空間９における空気調和装置１０の実施例を示す。所定空間９は、パーテーション等により区切られる所定空間９Ｍ、９Ｎ、９Ｐを含む。所定空間９Ｍ、９Ｎ、９Ｐには、それぞれ座席９０Ｍ、９０Ｎ、９０Ｐが配置される。そして、座席９０Ｍ、９０Ｎ、９０Ｐの近傍には、空気調和装置１０Ａ、１０Ｂ、１０Ｃが配置される。また、座席９０Ｍ、９０Ｎ、９０Ｐには、それぞれ情報入力部４Ａ、４Ｂ、４Ｃが配置される。
【０１１６】
空気調和装置１０Ａ、１０Ｂ、１０Ｃは、それぞれ所定空間９Ｍ、９Ｎ、９Ｐに所定の香りを放出する。レイアウト情報ＤＢ３４０、利用者情報ＤＢ３５０、位置情報ＤＢ３６０に含まれる所定の情報により、所定空間９Ｍ、９Ｎ、９Ｐに配置される座席９０Ｍ、９０Ｎ、９０Ｐを利用する利用者の情報を得ることができる。空気調和装置１０Ａ、１０Ｂ、１０Ｃは、各利用者の実情に応じた香りの放出等をすることができる。
【０１１７】
また、情報入力部４Ａ、４Ｂ、４Ｃにより、座席９０Ｍ、９０Ｎ、９０Ｐを利用する利用者が利用者情報ＤＢ３５０における利用者情報を適宜修正することができる。これにより、更に各利用者の実情に応じた対応が可能となる。
【図面の簡単な説明】
【０１１８】
【図１】本発明の空気調和システムを示す概略図である。
【図２】本発明の空気調和システムを示すブロック図である。
【図３】本発明の空気調和システムにおける空気調和手段の一例を示すブロック図である。
【図４】本発明の空気調和システムの実施例を示す平面図である。
【図５】本発明の空気調和装置を示すブロック図である。
【図６】本発明の空気調和装置の実施例を示す斜視図である。
【図７】温度―香りＤＢの一例である。
【図８】湿度―香りＤＢの一例である。
【図９】音―香りＤＢの一例である。
【図１０】ＣＯ２―香りＤＢの一例である。
【図１１】匂い―香りＤＢの一例である。
【図１２】モード基本ＤＢの一例である。
【図１３】デマンド制御モードにおける温度―香りＤＢの一例である。
【図１４】時刻―香りＤＢの一例である。
【図１５】レイアウト情報ＤＢの一例である。
【図１６】利用者情報ＤＢの一例である。
【図１７】位置情報ＤＢの一例である。
【図１８】環境情報として温度情報を取得した場合における空気調和システムの動作を説明するためのフローチャートである。
【図１９】環境情報として温度情報及び湿度情報を取得した場合における空気調和システムの動作を説明するためのフローチャートである。
【図２０】環境情報として温度情報、音情報及び匂い情報を取得した場合における空気調和システムの動作を説明するためのフローチャートである。
【図２１】空気調和システムが所定モードにある場合における該空気調和システムの動作を説明するためのフローチャートである。
【図２２】所定時刻に応じた空気調和システムの動作を説明するためのフローチャートである。
【図２３】環境情報として温度情報を取得した場合における空気調和システムの図１とは異なる動作を説明するためのフローチャートである。
【符号の説明】
【０１１９】
１      空気調和システム
２      ＣＰＵ
３      メモリ
４      情報入力部
５      香り調合部
６Ａ    香料収容部
６Ｂ    香料収容部
６Ｃ    香料収容部
６Ｄ    香料収容部
７Ａ    センサ
７Ｂ    センサ
７Ｃ    センサ
７Ｄ    センサ
８Ａ    室内機
８Ｂ    室内機
８Ｃ    室内機
８Ｄ    室内機
８０    室外機
【図１】
0004832077.tif 000002
【図２】
0004832077.tif 000003
【図３】
0004832077.tif 000004
【図４】
0004832077.tif 000005
【図５】
0004832077.tif 000006
【図６】
0004832077.tif 000007
【図７】
0004832077.tif 000008
【図８】
0004832077.tif 000009
【図９】
0004832077.tif 000010
【図１０】
0004832077.tif 000011
【図１１】
0004832077.tif 000012
【図１２】
0004832077.tif 000013
【図１３】
0004832077.tif 000014
【図１４】
0004832077.tif 000015
【図１５】
0004832077.tif 000016
【図１６】
0004832077.tif 000017
【図１７】
0004832077.tif 000018
【図１８】
0004832077.tif 000019
【図１９】
0004832077.tif 000020
【図２０】
0004832077.tif 000021
【図２１】
0004832077.tif 000022
【図２２】
0004832077.tif 000023
【図２３】
0004832077.tif 000024